(57)【特許請求の範囲】
【請求項１】
複数の支柱と、該支柱に支持される棚受けと、該棚受けに支持される棚板を具備する棚装置において、
前記棚板の側面に、前記棚装置の奥行方向に対し棚板奥行き中央より後方に位置して、上下方向に指向した長孔が設けられ、
前記棚受けには、前記棚板が載置された状態で、側面視において前記長孔と重なる位置に、係合孔が設けられ、
前記長孔を貫通し、前記係合孔に係合される係合部材を備えたことを特徴とする棚装置。
【請求項２】
前記係合部材の端部に脱落防止部が設けられたことを特徴とする請求項１記載の棚装置。
【請求項３】
前記係合部材は、クランク状に形成されたピンであることを特徴とする請求項２記載の棚装置。
【請求項４】
前記脱落防止部は、前記ピンの両端に設けられ、
一方の端部に設けられた前記脱落防止部は、円盤状に形成され、
他方の端部に設けられた前記脱落防止部は、当該端部の上下端面が軸線方向に沿って上下方向に張り出したことを特徴とする請求項３記載の棚装置。
【発明の詳細な説明】
【技術分野】
【０００１】
本発明は、地震発生時に、収納棚の棚板の落下を防止する機能および、棚装置から収納物が棚前方に飛び出すことを防止する機能を備えた棚装置に関する。
【背景技術】
【０００２】
従来、地震発生時において、棚装置が左右上下に振動することによる棚板の落下および収納物の飛び出しを防止するために、地震が発生して棚装置が振動すると、棚板が間口方向に対して斜め後ろ側に傾斜され固定される棚装置があった（特許文献１参照）。
この特許文献１に開示された棚装置は、地震の発生時に棚に収納された物品が飛び出すことを防止する飛び出し防止装置を備えている。該飛び出し防止装置は、地震発生前の通常の状態においては、棚板の前方下部に設けられた前ロックブロックが竪型ストッパーにより前後方向への移動が規制されており、棚板の後方下部には後ロックブロックが設けられ、後ロックブロックは後支持ピンにより支持されている。竪型ストッパーはストッパー球により下方より支持されており、竪型ストッパーは下方からストッパー球で支持されている。地震が発生し棚装置が振動すると、ストッパー球が回転移動して竪型ストッパーの支持がはずれ、竪型ストッパーが下降し、棚板の前後方向への揺動規制が解除され、棚板の後方下部に設けられた後支持ピンに支持されていた後ロックブロックが前方に移動することにより後ブロックに形成されたピン収納凹部内に後支持ピンが嵌入され、棚板を後下がりに傾斜して固定させて、棚装置内の収納物品の飛び出し防止を図るものである。
【０００３】
また、地震時に棚板が落下するのを防止するために、弾性材により形成された弾性係止部材により棚板が棚に係止され、棚板を係止部材に棚板が棚から脱落するのを係止部材により防止する棚装置があった（特許文献２参照）。
特許文献２に開示された棚装置は、中棚を支持する左右側板に支持ピンが着脱自在に突設され、該支持ピンは、弾性係止部と該弾性係止部の上部に形成した係止爪とからなり、棚板の端部が係止爪により安定保持され、地震発生時に端装置の棚板が落下することを防止するものである。
【先行技術文献】
【特許文献】
【０００４】
【特許文献１】特開２００９−２６８８８６号公報
【特許文献２】特開２０００−１５７３４９号公報
【発明の概要】
【発明が解決しようとする課題】
【０００５】
しかし、特許文献１に開示された棚装置は、飛出防止装置の構造が複雑でコストの増大を招き、また既設の棚装置に適用することが難しかった。さらに、棚板を後方に傾斜させる飛び出し防止装置の揺動規制の解除は、ストッパー球の転がりにより解除されるので、一旦揺動規制が解除され棚板が棚の後方に傾斜して固定されると、地震が治まり棚板を通常の状態に復旧するためには、ストッパー球の位置を規制状態に戻す必要があり、棚内の物品を全て取り出し、竪型ストッパーを下方から押し上げたうえで、棚装置全体を前方に傾斜させストッパー球を前方に移動させてその位置を戻し、竪型ストッパーをストッパー球に支持させる作業が必要となり、復旧までの作業が煩雑で大掛かりなものとなっていた。
【０００６】
また、特許文献２に記載された棚装置は、棚板上縁が係止具の弾性係止部材の係止爪に係止され、棚板の脱落を防止するものである。この棚装置では棚板の落下防止を図ること可能であるが、棚装置内の収納物品の落下を防止する機能は備えておらず、地震発生の際の収納物品の飛び出しを防止することはできなかった。
【０００７】
本発明は、かかる点に鑑みてなされたもので、地震等により棚装置の振動が発生した際に、棚板の落下防止を図るとともに、棚装置内の収納物品の飛び出しを防止し、より安価で既存の棚装置にも適用することが可能な棚装置を提供することを目的とするものである。
【課題を解決するための手段】
【０００８】
請求項１記載の発明は、複数の支柱を備え、該支柱に支持される棚受けと、該棚受けに支持される棚板を具備する棚装置において、前記棚板の側面に、前記棚装置の奥行方向に対し棚板奥行き中央より後方に位置して、上下方向に指向した長孔が設けられ、前記棚受けには、前記棚板が載置された状態で、側面視において前記長孔と重なる位置に、係合孔が設けられ、前記長孔を貫通し、前記係合孔に係合される係止部材を備えたことを特徴とする棚装置である。
【０００９】
請求項２記載の発明は、請求項１記載の棚装置において、前記係止部材の端部に脱落防止部が設けられたことを特徴とするものである
【００１０】
請求項３記載の発明は、請求項２記載の棚装置において、前記係止部材は、クランク状に形成されたピンであることを特徴とするものである。
【００１１】
請求４記載の発明は、請求項３記載の棚装置において、前記脱落防止部は、前記ピンの両端に設けられ、一方の端部に設けられた前記脱落防止部は、円盤状に形成され、他方の端部に設けられた前記脱落防止部は、当該端部の上下端面が上下方向に張り出したことを特徴とするものである。
【発明の効果】
【００１２】
本願請求項１記載の棚装置によれば、前記棚板の側面に、前記棚装置の奥行方向に対し棚板奥行き中央より後方に位置して、上下方向に指向した長孔が設けられ、前記棚受けには、前記棚板が載置された状態で、側面視において前記長孔と重なる位置に、係合孔が設けられ、前記長孔を貫通し、前記係合孔に係合される係止部材を備えているので、地震発生時に棚装置が振動を受けると、棚板の後端側を中心として棚板の前端が上下方向に揺動され、棚内の収納物品は棚の後方に移動されることとなり、収納物が棚装置から落下するのを防止することができる。また、地震が治まった後に、棚装置を復旧するための特段の操作を必要とせず簡便な棚装置である。
【００１３】
さらに、棚装置の棚板および収納物落下防止のための機構が簡単で、製造コストを削減することができる。
【００１４】
さらにまた、本願請求項１の棚装置は、棚板に長孔を設け、棚受に係合孔を設け、係合部材を長孔に挿入し、係合孔に係合することにより、設置作業が容易で、かつ既存の設備にも容易に適用することができる。
【００１５】
本願請求項２記載の発明によれば、係止部材の端部に脱落防止部が設けられているので、棚装置が振動して棚板が揺動しても、係合部材が棚板および棚受から脱落することがなく、より確実に棚板および収納物品の落下を防止することができる。
【００１６】
本願請求項３記載の発明によれば、係合部材としてクランク状に形成されたピンが用いられているので、棚板および棚受から係合部材がより脱落しにくく、また係合部材の製造が容易で製造コストをさほど必要とせず、棚装置全体のコスト低減化を図ることができる。
【００１７】
本願請求項４記載の発明によれば、棚板および棚受からピンがさらに脱落することがなく、棚板および収納物品の棚装置からの落下を防止することができる。
【図面の簡単な説明】
【００１８】
【図１】本願発明を適用した一実施例の棚装置を図示した斜視図である。
【図２】棚装置の要部拡大斜視図である。
【図３】棚装置の要部拡大斜視図である。
【図４】棚受、棚板およびセーフティーピンの分解斜視図である。
【図５】セーフティーピンの斜視図である。
【図６】棚受の側面図である。
【図７】棚板の側面図である。
【図８】セーフティーピンの正面図および側面図である。
【図９】棚受、棚板およびセーフティーピンを組み付けた側面図である。
【図１０】棚受、棚板およびセーフティーピンを組み付ける際の棚装置の要部拡大側面図である。
【図１１】図１０のXI-XI線に沿って切断した断面図である。
【図１２】棚装置の要部拡大側面図である。
【図１３】棚板が揺動した際の棚装置の要部拡大側面図である。
【図１４】図１０のXIV-XIV線に沿って切断した断面図である。
【図１５】図１１のXV-XV線に沿って切断した断面図である。
【図１６】本願発明を他の棚装置に適用した他の実施例を図示した斜視図である。
【図１７】本願発明を移動棚に適用した他の実施例を図示した斜視図である。
【発明を実施するための形態】
【００１９】
以下本発明に係る一実施例を図１ないし図１５に図示して説明する。
【００２０】
図１は、本実施例の棚装置１の斜視図である。以下棚装置１の間口方向を左右方向と、奥行き方向を前後方向とする。棚装置１は、鋼製部材の組み合わせで構成されており、前後一対の支柱２が左右両端に配置され、該左右支柱２の左右方向の間に所定間隔を存して前後一対の中間支柱３が配設され、前記支柱２および前記中間支柱３の上端２ａ，３ａおよび下端２ｂ，３ｂに、天板５および台枠６がそれぞれ一体に取付けられ、後側の支柱２および中間支柱３の後面に背板７が張設されて棚装置１の棚枠体８が構成されている。
【００２１】
棚装置１は、前記棚枠体８の前後一対の支柱２、あるいは前後一対の中間支柱３間に、棚受10が適当な間隔を存して係止され、相対向する左右一対の棚受10に棚板11が架設され、棚板11は棚受10にセーフティーピン12により係合されており、地震発生時に、棚装置１が振動をうけて揺動されても、棚板11が棚装置１から脱落することが防止され、収納物が棚装置１より落下することが防止されるようになっている。棚装置１は以上のような組み立て式の棚装置であり、以下詳細に説明する。
【００２２】
本発明の棚装置１に用いられる支柱２および中間支柱３は、図２および図３に示されるように、断面形状が略コの字型のチャンネル状で、開放端が内側に若干折曲された折曲端部２ｃ、３ｃが形成され、また折曲端部間に開口２ｄ、３ｄを有している。このような前後一対の支柱２および前後一対の中間支柱３は、開口２ｄ、３ｄが相対向するように配置されている。したがって、支柱２、中間支柱３は、開口２ｄ、３ｄと反対の面が前後壁２ｅ、３ｅとなり、その左右両側面が側壁２ｆ、３ｆとなる。
【００２３】
支柱２には、図２に示すように、支柱２の側壁２ｆのうち、棚の内側の側面である内側壁２ｆ１に、上下方向に指向して一定間隔ごとに縦長の係止孔４が穿設されている。また、中間支柱３は、図３に示すように、左右両側の側壁３ｆに、支柱２の内側面２ｆ１と同様に上下方向に指向して一定間隔ごとに縦長の係止孔４が穿設されている。
【００２４】
前後一対の支柱２または前後一対の中間支柱３により支持される棚受10は、図４に示されるように形成されている。すなわち、前後方向に長尺の平板を垂直にした袖板部10ａが設けられており、この袖板部10ａは、前後方向の幅が、前後一対の支柱２または中間支柱３のそれぞれに設けられた係止孔４のうち同一の高さに穿設された一対の係止孔４の間隔と同一寸法に形成されている。袖板部10ａの前後方向の両端上部には、左右方向外方に直角に折り曲げられ下方に延伸された係止片10ｂが形成されている。
【００２５】
また、前記袖板部10ａの下端部は、棚板11側に直角に曲折されて、棚板11の下面を受ける受け部10ｃが形成されている。袖板部10ａの前後方向の両端の下部は棚板側に直角に折り曲げられて、棚板11の前後方向の移動を規制する押え片10ｄが形成されている。
【００２６】
さらに、前記袖板部10ａの下方の棚板側壁面10ａ１には、一対のガイド片10ｅが形成されている。ガイド片10ｅは、棚板側壁面10ａ１に取付けられる取付部10ｅ１と、後述する棚板11のガイド板11ｄをガイドするガイド部10ｅ２とから構成されており、取付部10ｅ１は棚板側壁面10ａ１から直角に所定の長さで棚板11方向に突設され、該取付部10ｅ１からガイド部10ｅ２は前後方向直角に延伸され、ガイド片10ｅの断面形状はＬ字型に形成されている。ガイド部10ｅ２は、所定間隔を存して棚板側壁面10ａ１に平行に形成され、ガイド部10ｅ２の先端部10ｅ３は、棚板側壁面10ａ１から所定の間隔で離れており、開口されて開口部10ｅ４となっている。
【００２７】
一対のガイド片10ｅは、図６に示されるように、ガイド片10ｅの取付部10ｅ１の間の長さをＬ１とし、ガイド片10ｅの先端部10ｅ３間の長さをＬ２とすると、前後方向に間隔を存して、ガイド片10ｅの開口部10ｅ４が対向し、Ｌ１＞Ｌ２となるように配設されている。
【００２８】
また、図４および図６に示されるように、袖板部10ａの下方には、袖板部10ａの前後方向中心よりも後方に位置して、幅Ｗ１高さＨ１の横長の横長孔10ｆが穿設されている。
【００２９】
左右一組の棚受10に架設される棚板11は、図４および図７に示されるように、1枚の鋼板から成形されており、収納物品が載置される平板状の平板部11ａが形成され、該平板部11ａの前後両端には、平板部11ａの両端がコの字型に折り曲げられた前端部11ｂおよび後端部11ｃが形成されており、棚板11の左右方向の撓みに対する強度を増加させる役割を果たしている。
【００３０】
さらに平板部11ａの左右両端には、平板部11ａから下方に折り曲げられたガイド板11ｄが設けられている。図６、図７および図９に示されるように、ガイド板11ｄの前後方向の幅Ｌ３は、棚受10の一対のガイド片10ｅの取付部10ｅ１の間の長さＬ１よりも短く、ガイド片10ｅの先端部10ｅ３間の長さＬ２よりも長い、Ｌ２＜Ｌ３＜Ｌ１の関係で形成されており、棚板11が一対の棚受10に載置されると、ガイド片10ｅにより、棚板11のガイド板11ｄがガイド片10ｅと袖板部10ａの棚板側壁面10ａ１との間にガイドされ左右方向の移動が規制される。また、図９に示されるように、ガイド片10ｅの取付部10ｅ１と、棚板11のガイド板11ｄの前後方向の端面１１ｄ１との間は、所定の間隔Ｌ４を存している。
【００３１】
また、ガイド板11ｄには、棚板11の前後方向の中心位置より後方に位置して、幅Ｗ２高さＨ２の縦長の縦長孔11ｅが穿設されている。該縦長孔11ｅは、図９および図１０に示されるように棚板11が前記棚受10に架設された状態での側面視において、袖板部10ａに穿設された横長孔10ｆに重なる位置から下方に向かって延長されて、縦長に形成されている。
【００３２】
図５および図８には、棚板11を棚受10に係合するセーフティーピン12が図示されている。セーフティーピン12は、断面形状が円形であって直径Ｄ１の金属棒が、側面視においてクランク形状に成形されたものであって、セーフティーピン12の中央に位置する直線状の中央部12ａから端部12ｂ，12ｃがそれぞれ左右方向反対に直角に折り曲げられたものである。
【００３３】
この一方の端部12ｂには、セーフティーピン12が抜け落ちるのを防止するための円盤状の脱落防止部12ｄが形成されており、該脱落防止部12ｄの直径Ｄ２は、前記棚板11のガイド板11ｄに穿設された縦長孔11ｅの左右幅Ｗ２よりも長く形成されている。
【００３４】
さらにセーフティーピン12の他方の端部12ｃには、図５に示されるように、端部12ｃの軸中心線から、端部12ｃの表面から上下方向に突出した一組の突出部12ｅが軸線方向に沿って形成され、セーフティーピン12が棚受10および棚板11から抜け落ちるのを防止するようになっている。この突出部12ｅは、セーフティーピン12の端部12ｃの上下側の表層付近が軸線方向に沿ってプレス機に挟み込まれて圧縮成形されたものである。
【００３５】
前記棚受10の袖板部10ａに穿設された横長孔10ｆは、横長孔10ｆの高さＨ１が、セーフティーピン12の軸の直径Ｄ１より僅かに大きく形成され、横長孔10ｆの幅Ｗ１は、セーフティーピン12の端部12ｃの突出部12ｅも含めた高さＨ３より僅かに大きく形成され、横長孔10ｆの両端は円弧状に形成されており、図５に示されるセーフティーピン12を、図１０示すように突出部12ｅの突出方向が水平方向になるように、端部12ｃの中心軸を中心として90度回転させると、図１１に示されるようにセーフティーピン12の端部12ｃを横長孔10ｆに挿通することができるようになっている。
【００３６】
前記棚板11のガイド板11ｄに穿設された縦長孔11ｅは、図１０に示されるように、縦長孔11ｅの高さＨ２が、セーフティーピン12の軸の直径Ｄ１より大きく形成され、縦長孔11ｅの幅Ｗ２は、前記棚受10の袖板部10ａに穿設された横長孔10ｆの幅Ｗ１と同じ幅に形成され、縦長孔11ｅの両端は円弧状に形成されており、棚受10に棚板11を架設した際に、側面視においてその上部は横長孔10ｆと重なり、下方に延伸された縦長の孔に形成されている。
【００３７】
以下、棚板11が棚受10に架設され、棚板11が棚受10にセーフティーピン12で係合されることについて説明する。
棚受10に設けられた一対の係止片10ｂを、前後一対の支柱２あるいは前後一対の中間支柱３に穿設された同一高さの係止孔４に、係止片10ｂの先端から挿入し、棚受10は一対の支柱２あるいは一対の中間支柱３に係合支持さる。さらに、同じ高さの係止孔４に係合され支持された一対の棚受10のガイド片10ｅと袖板部10ａとの間に、棚板11の左右のガイド板11ｄを挿入すると、棚板11は棚受10の受け部10ｃに支持されて棚板11は棚受10に懸架される。
【００３８】
その後、棚板11の下方内側より、図１０および図１１に示すように、セーフティーピン12の端部12ｃに設けられた突出部12ｅが水平に位置するように、セーフティーピンを90度回転させて、セーフティーピン12の端部12ｃを、棚板11のガイド板11ｄに穿設された縦長孔11ｅおよび棚受10の横長孔10ｆに挿入する。さらにセーフティーピン12のクランク状の中央部12ａを縦長孔11ｅおよび横長孔10ｆに挿入していき、セーフティーピン12の端部12ｂが横長孔10ｆを貫通した後に、図９に示すように、セーフティーピン12を端部12ｃが下方に位置するように90度回転させる。
【００３９】
セーフティーピン12はクランク状に成形されており、また、セーフティーピンの他方の端部12ｂには、その直径Ｄ２が、横長孔10ｆおよび縦長孔11ｅの幅よりも長く形成された円盤状の脱落防止部12ｄが設けられているので、セーフティーピン12は棚受10および棚板11から抜け落ちることがない。
【００４０】
さらに、セーフティーピン12の突出部12ｅは上下方向に突出した状態であって、横長孔10ｆの高さＨ１は、セーフティーピン12の端部12ｃの突出部12ｅも含めた高さＨ３よりも短いので、端部12ｃは横長孔10ｆを通過することができず、セーフティーピン12が棚受10および棚板から抜け落ちることがない。
【００４１】
さらにまた、セーフティーピン12の端部12ｃは、棚受10の横長孔10ｆよりも下方に位置して組み付けられるので、地震発生時に棚装置１が振動を受けても、セーフティーピン12が棚受10および棚板11から抜け落ちることがない。
【００４２】
地震発生時に棚装置１が振動した場合の棚板11の動きを図１２ないし図１５に基づいて説明する。
【００４３】
図１２に示されるように、棚板11は、棚板11の前後方向の中心より後方に位置して、棚受10に係合されたセーフティーピン12により、ガイド板11ｄに穿設された縦長孔22ｅが貫通されている。さらに、図９に示されるように、ガイド片10ｅの取付部10ｅ１と、棚板11のガイド板11ｄの前後方向の端面11ｄ１との間は、所定の間隔Ｌ４を存しているので、ガイド板11ｄの端面11ｄ１がガイド片10ｅの取付部10ｅ１に接触して上下方向の移動が規制されることがない。
【００４４】
以上より、地震発生時に棚装置１が振動を受けると、図１３に示されるように、棚板11の後端部11ｃを中心として、前端部11ｂが上下方向に揺動する。
【００４５】
図１５に示されるように、ガイド板11ｄに穿設された縦長孔11ｅの下端面11ｅ１がセーフティーピン12当接するまで、棚板11の前端部11ｂは上方に揺動される。一方、セーフティーピン12は、棚受10の袖板部10ａに穿設された横長孔10ｆの上端面10ｆ１に当接して規制されるので、棚板11の前端部11ｂは、所定の高さ以上に上昇することがない。
【００４６】
地震発生時に棚装置１が振動されると、棚板11の前端部11ｂは上方向に揺動されるので、棚板11上に載置された収納物は棚装置１の後方に移動していき、収納物が棚装置１から落下するのを防止することができる。
【００４７】
さらに、棚板11が揺動しても、棚板11のガイド板11ｄに穿設された縦長孔11ｅの下端12ｅ１が、棚受10に係合されたセーフティーピン12に当接し棚板が所定以上に上方へ移動するのを規制して、棚板11の落下防止を図ることができる。
【００４８】
前記実施例では、棚装置の前面にのみ収納棚が設けられていたが、図１６に示されるように、背板を中心として前面、後面のそれぞれに収納棚を設けた棚装置20に適用してもよい。
【００４９】
さらに、本願発明は、前記実施例では床に設置された棚装置１、20に適用されていたが、図１５に示すような棚が移動することが可能な移動棚装置30に適用することができる。
【００５０】
さらに前記した実施例では、あらかじめ棚装置に収納物落下防止および棚板落下防止機能を備えた棚装置であるが、既設の棚装置の棚板および棚受を、前記した棚受10および棚板11に取替え、あるいは、既設の棚板および棚受に、横長孔10ｆおよび縦長孔11ｆを穿設して、セーフティーピン12でもって係合すれば、容易に既設の棚装置に適用することができ、棚板落下防止および収納物飛び出し防止を図ることができる。
【符号の説明】
【００５１】
１…棚装置、２…支柱、２ａ…上端、２ｂ…下端、２ｃ…折曲端部、２ｄ…開口、２ｅ…前後壁、２ｆ…側壁、３…中間支柱、３ａ…上端、３ｂ…下端、３ｃ…折曲端部、３ｄ…開口、３ｅ…前後壁、３ｆ…側壁、４…係止孔、５…天板、６…台枠、７…背板、８…棚枠体、
10…棚受、10ａ…袖板部、10ａ１…棚板側壁面、10ｂ…係止片、10ｃ…受け部、10ｄ…押え片、10ｅ…ガイド片、10ｅ１…取付部、10ｅ２…ガイド部、10ｅ３…先端部、10ｅ４…開口部、10ｆ…横長孔、11…棚板、11ａ…平板部、11ｂ…前端部、11ｃ…後端部、11ｄ…ガイド板、11ｅ…縦長孔、12…セーフティーピン、12ａ…中央部、12ｂ…端部、12ｃ…端部、12ｄ…脱落防止部、12ｅ…突出部、
20…棚装置、30…移動棚装置。
【図１】
0005872826.tif 000002
【図２】
0005872826.tif 000003
【図３】
0005872826.tif 000004
【図４】
0005872826.tif 000005
【図５】
0005872826.tif 000006
【図６】
0005872826.tif 000007
【図７】
0005872826.tif 000008
【図８】
0005872826.tif 000009
【図９】
0005872826.tif 000010
【図１０】
0005872826.tif 000011
【図１１】
0005872826.tif 000012
【図１２】
0005872826.tif 000013
【図１３】
0005872826.tif 000014
【図１４】
0005872826.tif 000015
【図１５】
0005872826.tif 000016
【図１６】
0005872826.tif 000017
【図１７】
0005872826.tif 000018